(57)【特許請求の範囲】
【請求項１】
給水配管４００と水栓３００とを連通するように連結する連結ボディ１００に連結具１２０が形成されて締結ナット２６０が締結され、
前記水栓３００には結合管３２０が形成されて前記連結具１２０に嵌められることにより水栓３００が連結ボディ１００に連結され、前記連結具１２０の内部にグラブリング２２０が設けられて結合管３２０が抜けないように掴むものの、
締結ナット２６０が締められる方向と反対方向に前記水栓３００が、回転すれば締められるように結合管３２０にネジ結合され、外周に係合突起２４２が形成されて締結ナット２６０内周に形成された係合突起２６２と係合することによって前記締結ナット２６０と互いに係合するようになる圧迫リング２４０が備えられ、
前記結合管３２０に圧迫リング２４０が結合された状態で連結具１２０に嵌められて水栓３００が連結ボディ１００に結合され、
前記水栓３００を締結ナット２６０が締められる方向に回転させれば、圧迫リング２４０が結合管３２０に形成されたネジ山３２４から緩みながら前進してグラブリング２２０を拡張させることによって結合管３２０を連結具１２０から分離できるようになる一方、前記水栓３００を締結ナット２６０が緩む方向に回転させれば、圧迫リング２４０が結合管３２０に形成されたネジ山３２４の最後まで締められて締結ナット２６０と係合して回転して締結ナット２６０が緩むようになる水栓の設置構造。
【請求項２】
前記結合管３２０の外周には係止段３２２が形成され、グラブリング２２０が前記係止段３２２にかかって結合管３２０が連結具１２０から抜けないようになる、請求項１に記載の水栓の設置構造。
【請求項３】
前記圧迫リング２４０は、本体の一部が長手方向に分割されて弾性的に直径が減ることができるようになる、請求項１に記載の水栓の設置構造。
【発明の詳細な説明】
【技術分野】
【０００１】
本発明は、水栓の設置構造に関するものであって、特に別途の工具なしで水栓を設けたり分離することができる水栓の設置構造に関するものである。
【背景技術】
【０００２】
通常の水栓（水道蛇口）は、壁面に埋め込まれている連結ボディにネジ結合方式で固定されている。このような水栓具は、大韓民国特許公開第１０−２０１０−００６３４１１号「ストップ機能を有した水栓具」（２０１０年６月１１日）に開示されている。
【０００３】
前記水栓具は、図６に示した通り、給水を供給する配管と給水を排出する連結ボディ１００を含む。連結ボディ１００は、一側に給水を供給する配管が連結され、他側には水栓３００が連結される構造をなす。
【０００４】
前記のような連結ボディ１００は、壁体に埋設されるケース内部に設けられるが、設けられた位置で堅固に固定された状態を維持することにより、動きがなく丈夫に設けられて水栓３００を支持するようになる。この時、連結ボディ１００は、水栓３００とネジ結合を通じて連結される。水栓３００には、ネジ山が形成されている締結管が備えられ、前記締結管が連結ボディ１００とネジ結合をなすようになる構造である。
【０００５】
ここで、前記締結管と連結ボディが連結される地点で給水が漏れないようにするためには、パッキングを強く圧迫することは当然である。このためには、水栓をネジ結合で設ける過程で水栓がこれ以上進行しない時まで強い力をかけて締めるようになるが、この時、水栓が所望の位置よりさらに回転した位置またはそれ以前で回転を止めるようになる場合が発生し得る。これはパッキングの弾性やネジ山の長さなどのような変数が多く、締結が完了した状態で水栓が正確な位置で止まることができない現象が発生することにその原因がある。
【０００６】
前記のような問題により水栓を正確な位置に達するようにするために水栓を必要以上に締めたりまたは必要な程度以下に締めた状態で結合を完了する場合が頻繁であった。しかしながら、必要以上に締める場合、パッキングに過度な圧力がかかり破損する問題が発生する反面、必要な程度以下に締める場合には、パッキングが適切な圧力で圧迫されず、給水が漏れる問題が発生する。
【０００７】
一方、水栓の設置が完了した後にメンテナンスや補修のために水栓を分離するためには水栓とナットなどの解体のために別途の工具が必要になるが、概ね、水栓が設けられる地点の特性上、作業空間が非常に狭いので、工具を用いることによる困難が相当であるという問題もまた台頭している実情である。
【発明の概要】
【発明が解決しようとする課題】
【０００８】
本発明では、水栓を設ける時に水栓の角度を所望の程度に調節して設けられるようにすることにその目的がある。また、別途の工具なしでも水栓の分離が可能であって便利に設けて分離できる水栓の設置構造を得ることにその目的がある。
【課題を解決するための手段】
【０００９】
本発明では、締める方式ではなく、単に嵌めるだけで水栓の設置を完了できるようにするとともに、水栓を手で掴んで回転させる動作を通じて分離できるようになる水栓の設置構造を提案して、前記の目的を達成する。
【発明の効果】
【００１０】
本発明によれば、水栓を所望の角度に決定した状態で嵌める方式で設けられるようになることによって水栓の設置角度を望み通りに調節しながら設けられるようになり、水栓を手で掴んで嵌めたりまたは回転させる動作を通じて分離できるようになるので、工具なしでも設置と分離が可能になる。
【図面の簡単な説明】
【００１１】
【図１】本発明による水栓の設置構造を分解して示す例示図である。
【図２】本発明による水栓の設置構造を断面で示す例示図である。
【図３】本発明による水栓と連結ボディの結合及び圧迫リングと結合管の結合と、連結具と締結ナットの結合関係を示す例示図である。
【図４】本発明による水栓を回転させて連結具から結合管を分離する作動を示す例示図である。
【図５】本発明による水栓を回転させて連結具から締結ナットを分離する作動を示す例示図である。
【図６】従来の水栓の設置構造を示す例示図である。
【発明を実施するための形態】
【００１２】
本発明では、水栓を設ける時、水栓の角度を所望の程度に調節して設けられるようにするとともに、別途の工具なしでも水栓の分離が可能であって便利に設けて分離できる水栓の設置構造を得るために、給水配管と水栓とを連通するように連結する連結ボディが備えられて壁面に形成された収容空間に収容され、前記連結ボディに連結具が形成されて収容空間入口を塞ぐカバー板を貫通して外部に現れて締結ナットが締結されることにより連結ボディが支持される一方、前記水栓に結合管が形成されて前記連結具に嵌められることにより水栓が連結ボディに連結され、前記連結具内部にグラブリングが設けられて結合管が抜けないように掴む反面、前記グラブリングは結合管に設けられる圧迫リングの前進によって拡張されて結合管を連結具から分離できるようになるものの、前記圧迫リングは前記水栓が、前記締結ナットが締められる方向と反対方向に回転すれば締められるように結合管にネジ結合されるとともに前記圧迫リングの外周と締結ナットの内周が互いに係合するように形成され、水栓を締結ナットが締められる方向に回転させれば、圧迫リングが前進しながらグラブリングを拡張させ、反対方向に回転させれば、締結ナットが係合して回転して緩むようになる水栓の設置構造を提案する。
【００１３】
以下、本発明を添付した図面の図１〜図５を参考にして詳細に説明する。
図１は、本発明による水栓の設置構造を分解して示す例示図であり、図２は、本発明による水栓の設置構造を断面で示す例示図であり、図３は、本発明による水栓と連結ボディの結合及び圧迫リングと結合管の結合と、連結具と締結ナットの結合関係を示す例示図である。
【００１４】
図示された通り、本発明による水栓の設置構造は、壁面に埋め込まれて水源地から用水を供給する給水配管４００と連結される連結ボディ１００に前記給水配管４００を通じて供給される用水を排出する水栓３００を連結して設ける構造である。
【００１５】
連結ボディ１００は、壁面に形成された収容空間に設けられることにより、外部に現れないように埋め込まれる。この時、前記収容空間は、一定の規格で形成されるボックス形態のハウジングを、壁面を施工する時に予め設けた後にコンクリートを打設することにより、位置が決定されて形成されるようになる。そして収容空間入口は、カバー板５００が結合されて塞がるように形成される。カバー板５００は、収容空間入口にネジ結合またはそれと類似の方式で設けられて、分離されず堅固に結合された状態を維持するようになる。
【００１６】
連結ボディ１００には連結具１２０が形成される。連結具１２０は収容空間入口に固定されているカバー板５００を貫通して外部に現れるようになるが、外部に現れた連結具１２０には締結ナット２６０が締結されることにより連結ボディ１００がカバー板５００側に引っ張られて堅固に密着されながら支持されるようになる。ここで、連結ボディ１００がより堅固に固定されるようにするために、連結ボディ１００を収容空間の壁にネジを通じて固定することも可能である。
【００１７】
水栓３００には結合管３２０が形成される。結合管３２０は前記連結具１２０に嵌められるようになるが、これを通じて水栓３００が連結ボディ１００に連結されて用水の供給を受けられるようになる。
【００１８】
前記連結具１２０の内部にグラブリング２２０が設けられる。グラブリング２２０は、リング形態をなして中心側に突出する鋸歯が形成される構成である。前記鋸歯は、連結具１２０の内側方向に傾斜して形成される。このように連結具１２０の内部に設けられるグラブリング２２０には、結合管３２０が貫通するようになる。結合管３２０が前記連結具１２０に嵌められれば結合管３２０が前進しながら末端が鋸歯を押しながらグラブリング２２０を貫通するようになるのである。
【００１９】
前記のようにグラブリング２２０を貫通する結合管３２０の外周には係止段３２２が形成されるところ、係止段３２２に前記鋸歯の終端がかかって結合管３２０が連結具１２０から抜けないようになる。反対にグラブリング２２０が拡張されれば前記鋸歯が係止段３２２から抜けるようになるので、結合管３２０を連結具１２０から取り出して分離できるようになる。
【００２０】
グラブリング２２０の拡張は圧迫リング２４０により達成される。圧迫リング２４０は、パイプ形態をなして一定の長さを有するように形成されるものであって、結合管３２０の外周に脱着式に設けられる。結合管３２０の外周にネジ山３２４が形成されて前記圧迫リング２４０がネジ結合方式で締結されるが、前記ネジ山３２４は係止段３２２の後方（図面上左方向、以下同じ）に形成される。
【００２１】
圧迫リング２４０は、結合管３２０の先端（図面上右方向、以下同じ）から後端（図面上左方向、以下同じ）に向かって嵌められた後にネジ山３２４に締結されるようになる。このように締結された状態で結合管３２０が連結具１２０に嵌められれば、圧迫リング２４０も自然に連結具１２０へ嵌められるようになる。
【００２２】
結合管３２０に締結された圧迫リング２４０は前進（図面上右方向、以下同じ）をすれば、その先端がグラブリング２２０に形成されている鋸歯を押すようになる。これにより鋸歯が横たわりながら係止段３２２から抜け出るようになり、この状態で結合管３２０を後方に引っ張れば連結具１２０から抜け出て分離されるのである。
【００２３】
一方、結合管３２０にネジ結合される圧迫リング２４０は水栓３００が、締結ナット２６０が締められる方向と反対方向に回転して締められて後退できるように前記ネジ山３２４の方向が決定される。即ち、締結ナット２６０が時計方向に回転して締められる構成であれば締結ナット２６０と圧迫リング２４０は互いに締められる方向が互いに反対でなければならないので、圧迫リング２４０も結合管３２０に時計方向に回転することによって締められるようになる構成である。
【００２４】
圧迫リング２４０は、前記のように結合管３２０にネジ結合されるとともに外周が締結ナット２６０の内周と互いに係合するように形成される。締結ナット２６０の内周面の一部が連結具１２０入口より突出した状態で結合された状態で圧迫リング２４０の外周と締結ナット２６０の内周に係合突起２４２、２６２が形成されて互いに係合するようになるのである。前記係合突起２６２は鋸歯状態で突出されるものであり得る。
【００２５】
前記圧迫リング２４０は、本体の一部が長手方向に分割されて弾性的に直径が減るように形成され得る。この構成により結合管３２０を連結具１２０に嵌める時、前記圧迫リング２４０が連結具１２０入口または締結ナット２６０入口にかかるようになっても弾性的に直径が減って嵌められ得るようになる。この場合、結合管３２０は圧迫リング２４０が弾性的に直径が減るのを妨害しないように一定の深さに外周が窪んだ形態で形成され得る。
【００２６】
前記の構成により水栓３００の角度を望み通りに調節して連結ボディ１００に結合させることができるようになる。連結ボディ１００が収容空間に設けられた状態でカバー板５００を収容空間入口に固定してカバー板を貫通して外部に現れた連結具１２０に締結ナット２６０を締結するようになるが、この状態で水栓３００を所望の角度に合わせた状態で圧迫リング２４０が設けられた結合管３２０を連結具１２０に嵌めるようになれば、圧迫リング２４０外周と締結ナット２６０内周に形成された係合突起２４２、２６２が互いに係合するようになる。同時に、結合管３２０の先端は、グラブリング２２０を貫通して係止段３２２にグラブリング２２０がかかるようになる。従って、結合管３２０が連結具１２０から抜けないようになる反面、係合突起２４２、２６２により水栓３００の回転も防止されるところ、水栓３００を所望の角度に設置できるようになる。
【００２７】
図４は、本発明による水栓を回転させて連結具から結合管を分離する作動を示す例示図である。
【００２８】
上述したことにより、結合管３２０が連結具１２０に嵌められることにより水栓３００が連結ボディ１００に結合された状態では単に水栓３００を引っ張る動作では分離されなくなる。グラブリング２２０が係止段３２２にかかっていることにより抜けないのである。
【００２９】
この状態で水栓３００を手で掴んで締結ナット２６０が締められる方向、即ち、時計方向に回転させれば、圧迫リング２４０が前進するようになる。別途の工具なしに手で水栓３００をしっかり掴んで回転させるようになる。
【００３０】
さらに詳細に説明すると、水栓３００を時計方向に回転させれば、締結ナット２６０が最後まで締められ、完全に締められた状態になればこれ以上回転をしなくなるが、圧迫リング２４０が締結ナット２６０と係合していることにより回転が防止された状態で結合管３２０だけが回転をするようになる。従って、結合管３２０にネジ結合されている圧迫リング２４０は、緩む方向に力が加えられるようになり、その結果、圧迫リング２４０がグラブリング２２０側に前進をするようになる。
【００３１】
前記により前進した圧迫リング２４０はグラブリング２２０を押して拡張させ、グラブリング２２０が係止段３２２から抜けるようになる。この状態で水栓３００を後方に引っ張れば結合管３２０が連結具１２０から抜け出して分離され、結果的に水栓３００が分離されるのである。
【００３２】
水栓３００が前記のように分離されれば、再び水栓３００の角度を所望の程度に調節した後に、再び上述した通り結合管３２０を連結具１２０に嵌めることによって水栓３００の角度を便利に調節できるようになる。
【００３３】
図５は、本発明による水栓を回転させて連結具から締結ナットを分離する作動を示す例示図である。
【００３４】
水栓３００を締結ナット２６０が緩む方向、即ち、反時計方向に回転させれば、締結ナット２６０を連結具１２０から分離することができる。
【００３５】
このために、上述した通り水栓３００を時計方向に回転させて圧迫リング２４０はグラブリング２２０を押して拡張させた後、水栓３００を一定程度後方に引っ張ってグラブリング２２０が係止段３２２に再びかからないながら圧迫リング２４０と締結ナット２６０は互いに係合した状態で水栓３００を反時計方向に回転させる。
【００３６】
水栓３００を反時計方向に回転させれば圧迫リング２４０は締められる方向に力が加えられるので、空回りしないでともに回転をするようになり、その結果、圧迫リング２４０と係合した締結ナット２６０がともに回転して緩むようになるのである。
【００３７】
以上で説明した本発明によれば、水栓を所望の角度に決定した状態で嵌める方式で設けられるようになることによって水栓の設置角度を望み通りに調節しながら設けられるようになり、水栓を手で掴んで嵌めたりまたは回転させる動作を通じて分離できるようになるので、工具なしでも設置と分離ができるようになる。
【符号の説明】
【００３８】
１００  連結ボディ
１２０  連結具
２２０  グラブリング
２４０  圧迫リング
２４２  係合突起
２６０  締結ナット
２６２  係合突起
３００  水栓
３２０  結合管
３２２  係止段
３４０  作動ナット
４００  給水配管
５００  カバー板
【図１】
0006655163.tif 000002
【図２】
0006655163.tif 000003
【図３】
0006655163.tif 000004
【図４】
0006655163.tif 000005
【図５】
0006655163.tif 000006
【図６】
0006655163.tif 000007